(57)【特許請求の範囲】
【請求項１】
パーカッションデバイスであって、
導電配線のアレイがその第１表面に形成された誘電体基板と、
前記誘電体基板に位置合わせされ、かつ、前記誘電体基板の前記第１表面、および前記導電配線と接しているピエゾ抵抗基板であって、前記導電配線および前記ピエゾ抵抗基板は、前記パーカッションデバイスの複数のセンサ領域を形成し、前記複数のセンサ領域の各々は、複数のセンサを含み、前記複数のセンサの各々は、対応するセンサ出力を含む、ピエゾ抵抗基板と、
前記複数のセンサを順次駆動し、前記センサ出力を順次サンプリングし、かつ、前記パーカッションデバイスの上面におけるヒットイベントを検出するセンサ回路であって、前記ヒットイベントに対応する、前記複数のセンサ領域のうち１つと、前記アレイに対する前記ヒットイベントの位置と、前記ヒットイベントの速度とをヒットイベント毎に判断する、センサ回路と
を備えるパーカッションデバイス。
【請求項２】
導電配線の前記アレイは、ほぼ円形であり、前記複数のセンサ領域の各々は、前記アレイの四分円に相当し、各ヒットイベントの前記位置は、前記アレイの中心に対して半径方向の距離である、請求項１に記載のパーカッションデバイス。
【請求項３】
前記アレイの前記導電配線は、同心円となるように配置され、前記導電配線のうち第１導電配線は、前記複数のセンサを駆動し、前記導電配線のうち第２導電配線は、前記センサ出力をサンプリングし、前記第１導電配線および前記第２導電配線は、前記同心円の交互に並んだものに相当する、請求項２に記載のパーカッションデバイス。
【請求項４】
各センサ領域に関連付けられる前記第１導電配線は、他のセンサ領域に関連付けられる前記第１導電配線と不連続であり、各センサ領域の前記第１導電配線は、半径方向の導電配線により互いに電気的に接続される、請求項３に記載のパーカッションデバイス。
【請求項５】
前記第２導電配線は、前記複数のセンサ領域の全てを通じて連続している、請求項３または４に記載のパーカッションデバイス。
【請求項６】
前記センサ回路は、第１センサ領域における前記センサ出力の複数の値に基づいて、前記第１センサ領域の第１ヒットイベントを検出し、前記複数の値の各々は、前記第１センサ領域に含まれる前記複数のセンサのうち１つに対応し、前記センサ回路は更に、前記複数の値を補間することにより前記第１ヒットイベントの前記位置を判断する、請求項１から５のいずれか一項に記載のパーカッションデバイス。
【請求項７】
前記センサ回路は、前記複数の値の各々に関連付けられるセンサ位置と、前記複数の値の各々の大きさとを用いて、前記複数の値を補間する、請求項６に記載のパーカッションデバイス。
【請求項８】
前記センサ回路は、第１センサ領域における前記センサ出力の複数の値に基づいて、前記第１センサ領域の第１ヒットイベントを検出し、前記複数の値の各々は、前記第１センサ領域に含まれる前記複数のセンサのうち１つに対応し、前記センサ回路は更に、前記複数の値の中で最も大きい、前記複数の値のうち第１の値に基づいて、前記第１ヒットイベントの前記速度を判断する、請求項１から７のいずれか一項に記載のパーカッションデバイス。
【請求項９】
前記センサ回路は、第１センサの前記センサ出力が指定の継続時間よりも長い時間にわたって振幅閾値を超えていると判断することにより、第１センサ領域における前記第１センサのヒットイベントを検出する、請求項１から８のいずれか一項に記載のパーカッションデバイス。
【請求項１０】
前記ピエゾ抵抗基板は、ピエゾ抵抗生地である、請求項１から９のいずれか一項に記載のパーカッションデバイス。
【請求項１１】
前記パーカッションデバイスの前記上面は、前記誘電体基板および前記ピエゾ抵抗基板を含むコンポーネントの積層体中にあるシリコーン基板である、請求項１から１０のいずれか一項に記載のパーカッションデバイス。
【請求項１２】
前記センサ回路の少なくとも一部が、前記誘電体基板のノッチに配設される回路基板に含まれ、前記回路基板の導体が、前記誘電体基板上の前記導電配線のうち少なくとも幾つかに接続される、請求項１から１１のいずれか一項に記載のパーカッションデバイス。
【請求項１３】
前記誘電体基板の前記第１表面とは反対側の、前記誘電体基板の第２表面に隣接する電磁波干渉（ＥＭＩ）遮蔽を更に備える、請求項１から１２のいずれか一項に記載のパーカッションデバイス。
【請求項１４】
前記ＥＭＩ遮蔽は、前記誘電体基板の前記第２表面と一体化された導電メッシュを含む、請求項１３に記載のパーカッションデバイス。
【請求項１５】
前記センサ回路は、センサ毎のオフセット値を繰り返し計算する、請求項１から１４のいずれか一項に記載のパーカッションデバイス。
【請求項１６】
パーカッションデバイスであって、
導電配線のアレイがその表面に形成されたピエゾ抵抗基板であって、前記導電配線および前記ピエゾ抵抗基板は、前記パーカッションデバイスの複数のセンサ領域を形成し、前記複数のセンサ領域の各々は、複数のセンサを含み、前記複数のセンサの各々は、対応するセンサ出力を含む、ピエゾ抵抗基板と、
前記複数のセンサを順次駆動し、前記センサ出力を順次サンプリングし、かつ、前記パーカッションデバイスの上面におけるヒットイベントを検出するセンサ回路であって、前記センサ回路は、前記ヒットイベントに対応する、前記複数のセンサ領域のうち１つと、前記アレイに対する前記ヒットイベントの位置と、前記ヒットイベントの速度とをヒットイベント毎に判断する、センサ回路と
を備えるパーカッションデバイス。
【請求項１７】
導電配線の前記アレイは、ほぼ円形であり、前記複数のセンサ領域の各々は、前記アレイの四分円に相当し、各ヒットイベントの前記位置は、前記アレイの中心に対して半径方向の距離である、請求項１６に記載のパーカッションデバイス。
【請求項１８】
前記アレイの前記導電配線は、同心円となるように配置され、前記導電配線のうち第１導電配線は、前記複数のセンサを駆動し、前記導電配線のうち第２導電配線は、前記センサ出力をサンプリングし、前記第１導電配線および前記第２導電配線は、前記同心円の交互に並んだものに相当する、請求項１７に記載のパーカッションデバイス。
【請求項１９】
各センサ領域に関連付けられる前記第１導電配線は、他のセンサ領域に関連付けられる前記第１導電配線と不連続であり、各センサ領域の前記第１導電配線は、半径方向の導電配線により互いに電気的に接続される、請求項１８に記載のパーカッションデバイス。
【請求項２０】
前記第２導電配線は、前記複数のセンサ領域の全てを通じて連続している、請求項１８または１９に記載のパーカッションデバイス。
【請求項２１】
前記センサ回路は、第１センサ領域における前記センサ出力の複数の値に基づいて、前記第１センサ領域の第１ヒットイベントを検出し、前記複数の値の各々は、前記第１センサ領域に含まれる前記複数のセンサのうち１つに対応し、前記センサ回路は更に、前記複数の値を補間することにより、前記第１ヒットイベントの前記位置を判断する、請求項１６から２０のいずれか一項に記載のパーカッションデバイス。
【請求項２２】
前記センサ回路は、前記複数の値の各々に関連付けられるセンサ位置と、前記複数の値の各々の大きさとを用いて、前記複数の値を補間する、請求項２１に記載のパーカッションデバイス。
【請求項２３】
前記センサ回路は、第１センサ領域における前記センサ出力の複数の値に基づいて、前記第１センサ領域の第１ヒットイベントを検出し、前記複数の値の各々は、前記第１センサ領域に含まれる前記複数のセンサのうち１つに対応し、前記センサ回路は更に、前記複数の値の中で最も大きい、前記複数の値のうち第１の値に基づいて、前記第１ヒットイベントの前記速度を判断する、請求項１６から２２のいずれか一項に記載のパーカッションデバイス。
【請求項２４】
前記センサ回路は、第１センサの前記センサ出力が指定の継続時間よりも長い時間にわたって振幅閾値を超えていると判断することにより、第１センサ領域における前記第１センサのヒットイベントを検出する、請求項１６から２３のいずれか一項に記載のパーカッションデバイス。
【請求項２５】
前記ピエゾ抵抗基板は、ピエゾ抵抗生地である、請求項１６から２４のいずれか一項に記載のパーカッションデバイス。
【請求項２６】
前記パーカッションデバイスの前記上面は、前記ピエゾ抵抗基板を含むコンポーネントの積層体中にあるシリコーン基板である、請求項１６から２５のいずれか一項に記載のパーカッションデバイス。
【請求項２７】
前記センサ回路の少なくとも一部が、前記ピエゾ抵抗基板のノッチに配設される回路基板に含まれ、前記回路基板の導体が、前記ピエゾ抵抗基板上の前記導電配線のうち少なくとも幾つかに接続される、請求項１６から２６のいずれか一項に記載のパーカッションデバイス。
【請求項２８】
電磁波干渉（ＥＭＩ）遮蔽を更に備える、請求項１６から２７のいずれか一項に記載のパーカッションデバイス。
【請求項２９】
前記ＥＭＩ遮蔽は、誘電体基板と一体化され、かつ、前記ピエゾ抵抗基板から電気的に分離された導電メッシュを有する、請求項２８に記載のパーカッションデバイス。
【請求項３０】
前記センサ回路は、センサ毎のオフセット値を繰り返し計算する、請求項１６から２９のいずれか一項に記載のパーカッションデバイス。
【発明の詳細な説明】
【技術分野】
【０００１】
［関連出願データ］  本出願は、２０１５年１０月１４日に出願されたＰｅｒｃｕｓｓｉｏｎ  Ｉｎｓｔｒｕｍｅｎｔと題する米国仮特許出願第６２／２４１，６１５号（代理人整理番号ＫＳＭＯＰ０１０Ｐ）と、２０１６年１０月６日に出願されたＳｅｎｓｏｒ−Ｂａｓｅｄ  Ｐｅｒｃｕｓｓｉｏｎ  Ｄｅｖｉｃｅと題する米国特許出願第１５／２８７，５２０号（代理人整理番号ＫＳＭＯＰ０１０）とに対する優先権を主張するものであり、その開示内容全体が、全ての目的のために参照により本明細書へ組み込まれる。
【発明の概要】
【０００２】
ある特定の部類の実装によれば、パーカッションデバイスが、導電配線のアレイがその第１表面に形成された誘電体基板を備える。ピエゾ抵抗基板が誘電体基板と位置合わせされ、誘電体基板の第１表面、および導電配線と接している。導電配線およびピエゾ抵抗基板は、パーカッションデバイスの複数のセンサ領域を形成する。これらのセンサ領域の各々は複数のセンサを含む。これらのセンサの各々はセンサ出力に対応する。センサ回路がセンサを順次駆動し、センサ出力を順次サンプリングし、かつ、パーカッションデバイスの上面におけるヒットイベントを検出するように構成される。センサ回路は、ヒットイベントに対応する、センサ領域のうち１つと、アレイに対するヒットイベントの位置と、ヒットイベントの速度とをヒットイベント毎に判断するように構成される。
【０００３】
幾つかの実装によれば、導電配線のアレイはほぼ円形であり、センサ領域の各々はアレイの四分円に相当し、各ヒットイベントの位置はアレイの中心に対して半径方向の距離である。ある具体的な実装によれば、アレイの導電配線は同心円状に配置される。導電配線のうち第１導電配線は、センサを駆動するように構成される。導電配線のうち第２導電配線は、センサ出力をサンプリングするように構成される。第１導電配線および第２導電配線は、同心円の交互に並んだものに相当する。より具体的な実装によれば、各センサ領域に関連付けられる第１導電配線は、他のセンサ領域に関連付けられる第１導電配線と不連続であり、各センサ領域の第１導電配線は、半径方向の導電配線により互いに電気的に接続される。別の具体的な実装によれば、第２導電配線は、センサ領域の全てを通じて連続している。
【０００４】
幾つかの実装によれば、センサ回路は、第１領域におけるセンサ出力の複数の値に基づいて、第１センサ領域における第１ヒットイベントを検出するように構成される。これらの値の各々は、第１センサ領域に含まれるセンサのうち１つに対応する。センサ回路は、これらの値を補間することにより第１ヒットイベントの位置を判断するように構成される。ある具体的な実装によれば、センサ回路は、これらの値の各々に関連付けられるセンサ位置と、これらの値の各々の大きさとを用いて、これらの値を補間するように構成される。
【０００５】
幾つかの実装によれば、センサ回路は、第１領域におけるセンサ出力の複数の値に基づいて、第１センサ領域における第１ヒットイベントを検出するように構成される。これらの値の各々は、第１センサ領域に含まれるセンサのうち１つに対応する。センサ回路は、これらの値の中で最も大きい、これらの値のうち第１の値に基づいて、第１ヒットイベントの速度を判断するように構成される。
【０００６】
幾つかの実装によれば、センサ回路は、第１センサのセンサ出力が指定の継続時間よりも長い時間にわたって振幅閾値を超えていると判断することにより、第１センサ領域における第１センサのヒットイベントを検出するように構成される。
【０００７】
幾つかの実装によれば、ピエゾ抵抗基板はピエゾ抵抗生地である。
【０００８】
幾つかの実装によれば、パーカッションデバイスの上面は、誘電体基板およびピエゾ抵抗基板を含むコンポーネントの積層体中にあるシリコーン基板である。
【０００９】
幾つかの実装によれば、センサ回路の少なくとも一部が、誘電体基板のノッチに配設された回路基板に含まれる。回路基板の導体が、誘電体基板上の導電配線のうち少なくとも幾つかに接続される。
【００１０】
幾つかの実装によれば、パーカッションデバイスは、誘電体基板の第１表面とは反対側の、誘電体基板の第２表面に隣接する電磁波干渉（ＥＭＩ）遮蔽を含む。ある具体的な実装によれば、ＥＭＩ遮蔽は、誘電体基板の第２表面と一体化された導電メッシュを含む。
【００１１】
別の部類の実装によれば、パーカッションデバイスが、導電配線のアレイがその表面に形成されたピエゾ抵抗基板を備える。導電配線およびピエゾ抵抗基板は、パーカッションデバイスの複数のセンサ領域を形成する。これらのセンサ領域の各々は複数のセンサを含む。これらのセンサの各々はセンサ出力に対応する。センサ回路がセンサを順次駆動し、センサ出力を順次サンプリングし、かつ、パーカッションデバイスの上面におけるヒットイベントを検出するように構成される。センサ回路は、ヒットイベントに対応する、センサ領域のうち１つと、アレイに対するヒットイベントの位置と、ヒットイベントの速度とをヒットイベント毎に判断するように構成される。
【００１２】
幾つかの実装によれば、導電配線のアレイはほぼ円形であり、センサ領域の各々はアレイの四分円に相当し、各ヒットイベントの位置はアレイの中心に対して半径方向の距離である。ある具体的な実装によれば、アレイの導電配線は同心円状に配置される。導電配線のうち第１導電配線は、センサを駆動するように構成される。導電配線のうち第２導電配線は、センサ出力をサンプリングするように構成される。第１導電配線および第２導電配線は、同心円の交互に並んだものに相当する。より具体的な実装によれば、各センサ領域に関連付けられる第１導電配線は、他のセンサ領域に関連付けられる第１導電配線と不連続であり、各センサ領域の第１導電配線は、半径方向の導電配線により互いに電気的に接続される。別の具体的な実装によれば、第２導電配線は、センサ領域の全てを通じて連続している。
【００１３】
幾つかの実装によれば、センサ回路は、第１領域におけるセンサ出力の複数の値に基づいて、第１センサ領域における第１ヒットイベントを検出するように構成される。これらの値の各々は、第１センサ領域に含まれるセンサのうち１つに対応する。センサ回路は、これらの値を補間することにより第１ヒットイベントの位置を判断するように構成される。ある具体的な実装によれば、センサ回路は、これらの値の各々に関連付けられるセンサ位置と、これらの値の各々の大きさとを用いて、これらの値を補間するように構成される。
【００１４】
幾つかの実装によれば、センサ回路は、第１領域におけるセンサ出力の複数の値に基づいて、第１センサ領域における第１ヒットイベントを検出するように構成される。これらの値の各々は、第１センサ領域に含まれるセンサのうち１つに対応する。センサ回路は、これらの値の中で最も大きい、これらの値のうち第１の値に基づいて、第１ヒットイベントの速度を判断するように構成される。
【００１５】
幾つかの実装によれば、センサ回路は、第１センサのセンサ出力が指定の継続時間よりも長い時間にわたって振幅閾値を超えていると判断することにより、第１センサ領域における第１センサのヒットイベントを検出するように構成される。
【００１６】
幾つかの実装によれば、ピエゾ抵抗基板はピエゾ抵抗生地である。
【００１７】
幾つかの実装によれば、パーカッションデバイスの上面は、ピエゾ抵抗基板を含むコンポーネントの積層体中にあるシリコーン基板である。
【００１８】
幾つかの実装によれば、センサ回路の少なくとも一部が、ピエゾ抵抗基板のノッチに配設された回路基板に含まれる。回路基板の導体が、ピエゾ抵抗基板上の導電配線のうち少なくとも幾つかに接続される。
【００１９】
幾つかの実装によれば、パーカッションデバイスは、電磁波干渉（ＥＭＩ）遮蔽を含む。ある具体的な実装によれば、ＥＭＩ遮蔽は、誘電体基板と一体化され、かつ、ピエゾ抵抗基板から電気的に分離された導電メッシュを含む。
【００２０】
本明細書および図面の残りの部分を参照することにより、様々な実装の本質および利点について更に理解することができる。
【図面の簡単な説明】
【００２１】
【図１】パーカッションデバイスの斜視図である。
【００２２】
【図２】パーカッションデバイスの分解図である。
【００２３】
【図３】パーカッションデバイスの円形センサアレイの図である。
【００２４】
【図４Ａ】パーカッションデバイスのセンサ回路の例を示す。
【図４Ｂ】パーカッションデバイスのセンサ回路の例を示す。
【００２５】
【図５】パーカッションデバイスのＥＭＩ遮蔽を示す。
【００２６】
【図６】パーカッションデバイスの円形センサアレイの一部分の図である。
【００２７】
【図７】パーカッションデバイスにおけるヒットイベントの検出を示した２つのグラフを含む。
【００２８】
【図８】パーカッションデバイスのヒットイベント検出を示すフローチャートである。
【００２９】
【図９】パーカッションデバイスのヒットイベント処理を示すフローチャートである。
【発明を実施するための形態】
【００３０】
本開示は、電子センサ技術を採用したパーカッションデバイスについて説明し、係るデバイスの実現を可能にする。本明細書では、想定される最良の形態をはじめ、具体的な実装について説明する。これらの実装の例を添付図面に示す。しかしながら、本開示の範囲が、記載されている実装に限定されることはない。本開示はむしろ、これらの実装の代替手段、修正形態および等価物を包含することを目的としている。以下の説明では、記載されている実装について十分に理解できるよう、具体的な詳細を記載する。実装によっては、これらの具体的な詳細の一部または全てがなくても実施され得る。更に、明瞭性を高めるために、よく知られている特徴については詳細に記載していないこともある。
【００３１】
ピエゾ抵抗材料には、この材料に加えられる機械的な力（例えば、圧力、衝撃、歪曲など）に応じて電気抵抗の変化を示すある部類の材料のいずれかが含まれる。本明細書に記載のデバイスのうち１つの部類は、誘電体基板に隣接している、および／または誘電体基板と密接に一体化され、かつ、誘電体上の配線のうち少なくとも幾つかと接しているピエゾ抵抗材料を用いた誘電体基板に直接形成されるか、さもなければ、係る誘電体基板と一体化された導電配線を含む。本明細書に記載のデバイスのうち別の部類は、ピエゾ抵抗材料（例えば、ピエゾ抵抗生地）の基板に直接形成されるか、さもなければ、係る基板と一体化された導電配線を含む。係るどちらか一方の種類のデバイスに力が加えられると、ピエゾ抵抗材料により接続された配線の間の抵抗が経時的に変化し、加えられた力を表す。
【００３２】
加えられた力の大きさを表す信号が、抵抗の変化に基づいて生成される。この信号は、（例えば、電圧または電流として）導電配線を介して取得され、（例えば、アナログ／デジタル変換器を介して）デジタル化され、（例えば、関連付けられたプロセッサ、コントローラまたは適切な回路により）処理され、（例えば、関連付けられたプロセッサ、コントローラもしくは回路、または個別の制御システムにより）事実上いずれの種類のプロセス、デバイスまたはシステムの制御および／または動作と連動して使用されてもよい制御機能にマッピングされる。本明細書に記載の実装では、係る制御機能に打楽器の音声表現の生成が含まれる。
【００３３】
配線が接している、または配線が形成されるピエゾ抵抗材料は、ピエゾ抵抗特性を有する様々な織布および不織布のいずれであってもよい。ピエゾ抵抗材料が、ピエゾ抵抗特性を有する様々な可撓性材料、伸縮性材料か、さもなければ可塑性材料（例えば、ゴム、またはスパンデックスもしくはオープンメッシュ生地のような伸縮性生地）のいずれでもあり得るような実装も想定される。導電配線は、様々な導電インクまたは導電塗料のいずれを用いて誘電体基板またはピエゾ抵抗材料に形成されてもよい。より一般的に言うと、どちらか一方の種類の基板に形成され得る任意の導電材を用いて導電配線が形成されるような実装が想定される。具体的な材料および手法を参照しながら具体的な実装について説明しているものの、本開示の範囲がそのように限定されるものではないことを、上記を参照して理解すべきである。
【００３４】
例えば、導電配線が基板の片面または両面にプリントまたは形成され得るような片面実装および両面実装がどちらも想定される。当然のことながら、両面実装は、基板の一方の側にある導電配線を他方の側にある導電配線と接続するための何らかの機構を必要とすることもある。実装によっては、この接続を確立するために、導電インクまたは導電塗料が流れるためのビアを使用する。代替的に、基板を通して接続を行うために、例えば、予め形成された導電ビア、リベット、ステープル、ワイヤ、導電糸などをはじめとする広範な導電要素が挿入されてもよい。片面実装および両面実装はどちらも、導電配線の上方または下方に形成された断熱材料を使用してもよい。これにより、導電配線および信号線の積み重ねまたは階層化が可能となる。例えば、プリント回路基板の異なる層と類似したやり方で、信号線を分離構造へルーティングすることが可能となる。
【００３５】
基板上および基板外における信号のルーティングは、様々な方法で実現されてよい。例えば、実装によっては、導電ゴムおよび非導電ゴムを、それらが（例えば、基板の縁部において）接続する導電配線の幅よりも一般的に一桁大きい密度で交互に並べたエラストマコネクタ（例えば、ＺＥＢＲＡ（登録商標）コネクタ）を使用してよい。代替的に、回路基板または導体の束が基板にリベット留めされてもよいし、さもなければ、基板に固定されてもよい。リベットを使用すると、接続部に対する機械的補強も為され得る。
【００３６】
幾つかの実装によれば、基板および回路基板上のマッチする導電配線または導電パッドが、例えば、次に互いに合わされる表面のうち一方または両方に塗布された導電接着剤（例えば、ニュージャージー州ハッケンサックにあるＭａｓｔｅｒｂｏｎｄ社のＭａｓｔｅｒｂｏｎｄ  ＥＰ７９のような導電エポキシ）の層を用いて互いに固定されてよい。導電配線または導電パッドは、音波溶接またはリベットのような更なる機械的要素で留め合わされてもよい。導電配線への基板の電気的接続に導電リベットが使用される場合は、導電接着剤を必要としないこともある。基板の導電配線を外部アセンブリに接続するために導電糸が使用されてもよい。基板上の導電配線を外部回路へ接続するための手法の他の例がＦｌｅｘｉｂｌｅ  Ｓｅｎｓｏｒｓ  ａｎｄ  Ａｐｐｌｉｃａｔｉｏｎｓと題する米国特許出願公開第２０１５／０３３１５３３号に記載されており、その開示内容全体が、全ての目的のために参照により本明細書へ組み込まれる。より一般的に言うと、本開示の範囲内における広範な変形が当業者には明らかとなるであろう。
【００３７】
ある特定の部類の実装によれば、ピエゾ抵抗材料は、カリフォルニア州ピノールのＥｅｏｎｙｘ社により製造される感圧生地である。この生地は、生地に懸濁させておくためにポリマー化された導電粒子を含む。基材（例えば、ポリエステル製のフェルトであってよい）は、密度および厚さの均一性のために選択される。なぜなら、これにより、出来上がったピエゾ抵抗生地の導電性の均一性が更に高まるからである。すなわち、導電粒子を含有するスラリーが導入されると、基材の機械的な均一性が導電粒子のより均一な分布をもたらす。実装によっては、生地が織物であってよい。代替的に、生地は、例えば、化学的、機械的、熱的または溶媒処理により接合された繊維などの光沢生地のような不織物であってもよい。導電配線がピエゾ抵抗生地に形成されるような実装では、光沢材料が、導電インクのより正確なスクリーンプリントを促す滑らかな外面を呈してよい。
【００３８】
生地中の導電粒子は、例えば、銀、銅、金、アルミニウム、炭素などをはじめとする多様な材料のいずれであってもよい。実装によっては、炭素グラフェン粒子を採用してよい。係る材料は、２００８年１２月２３日に発行されたＥｌｅｃｔｒｏｃｏｎｄｕｃｔｉｖｅ  Ｗｏｖｅｎ  ａｎｄ  Ｎｏｎ−Ｗｏｖｅｎ  Ｆａｂｒｉｃという米国特許第７，４６８，３３２号に記載の手法を用いて製作されてよく、その開示内容全体が、全ての目的のために参照により本明細書へ組み込まれる。しかしながら、材料に力が加えられると抵抗または導電性の変化を示す多様な材料がいずれも、本明細書に記載するようなセンサの実装に適切であり得ることに、ここでも留意すべきである。
【００３９】
ある特定の部類の実装によれば、様々なレベルの導電性を有する導電配線が、例えば、デラウェア州ウィルミントンのＥ．Ｉ．  ｄｕ  Ｐｏｎｔ  ｄｅ  Ｎｅｍｏｕｒｓ  ａｎｄ  Ｃｏｍｐａｎｙ  （ＤｕＰｏｎｔ）および／またはマサチューセッツ州エアのＣｒｅａｔｉｖｅ  Ｍａｔｅｒｉａｌｓにより製造される導電シリコーン系インクを用いて、誘電体基板またはピエゾ抵抗材料に形成される。様々な実装と併用するための高導電配線を実装するのに適した導電インクの例としては、Ｃｒｅａｔｉｖｅ  Ｍａｔｅｒｉａｌｓの製品番号１２５−１９が挙げられ、これは可撓性がある高温の電気的導電インクである。様々な実装と併用するための低導電性配線を実装するための導電インクの例としては、ＤｕＰｏｎｔの製品番号７１０２および７１０５が挙げられ、これらは両方とも炭素導電組成物である。様々な実装と併用するための絶縁体を実装するのに適した誘電材料の例としては、ＤｕＰｏｎｔの製品番号５０１８および５０３６が挙げられ、これらはそれぞれ、ＵＶ硬化可能な誘電体、および封止材である。これらのインクには可撓性と耐久性がある。異なる配線および用途の場合の伝導度は、シリコーン中に懸濁された導電粒子（例えば、銀、銅、アルミニウム、炭素など）の量または濃度により制御されてよい。これらのインクは、スクリーンプリントされるか、またはインクジェットプリンタからプリントされ得る。幾つかの実装によれば、インクがプリントされる基板は非伸縮性であり、これにより、可撓性および／または伸縮性が低い低コストのインクの使用が可能となる。別の部類の実装では、ＥＭＩ遮蔽およびＥＳＤ保護のために通常使用されるような導電塗料（例えば、塗料と混合された炭素粒子）を使用する。
【００４０】
本開示により可能となる様々な実装と併用され得るセンサ技術および関連手法の更なる例が、２０１０年１０月１４日に出願されたＦｏｏｔ−Ｏｐｅｒａｔｅｄ  Ｃｏｎｔｒｏｌｌｅｒと題する米国特許出願公開第２０１１／００８８５３６号、２０１３年３月１３日に出願されたＭｕｌｔｉ−Ｔｏｕｃｈ  Ｐａｄ  Ｃｏｎｔｒｏｌｌｅｒと題する米国特許出願公開第２０１３／０２３９７８７号、２０１４年６月９日に出願されたＰｉｅｚｏｒｅｓｉｓｔｉｖｅ  Ｓｅｎｓｏｒｓ  ａｎｄ  Ａｐｐｌｉｃａｔｉｏｎｓと題する米国特許出願公開第２０１５／０３３１５２２号、および２０１４年８月２０日に出願されたＴｗｏ−Ｄｉｍｅｎｓｉｏｎａｌ  Ｓｅｎｓｏｒ  Ａｒｒａｙｓと題する米国特許出願公開第ＵＳ２０１５／０３３１５２３号に記載されており、これらの各々の開示内容全体が、全ての目的のために参照により本明細書へ組み込まれる。しかしながら、様々な他の適切なセンサ技術を採用した実装が想定されることにも留意すべきである。従って、これらの例を参照することにより本開示の範囲が限定されるべきではない。
【００４１】
図１には、パーカッションデバイス１００の例を示す。図２には、パーカッションデバイス１００の分解図を示す。ある特定の部類の実装によれば、パーカッションデバイスは４つの四分円を有する。各四分円は、（ＭＩＤＩノートを形成するのに役立つ）初期ヒット速度をはじめ、ヒットイベントを検出および報告するように構成される。各四分円は、パーカッションデバイス１００の上面におけるヒットイベントの力の連続範囲および位置（例えば、半径方向の距離）を検出および報告するようにも構成される。
【００４２】
ある具体的な実装によれば、パーカッションデバイスの四分円は、誘電体基板（例えば、図２に示すような、ポリエチレン・テレフタレートすなわちＰＥＴの基板２０２）に直接形成されるか、さもなければ、それと一体化された導電配線（例えば、スクリーンプリントされた導電インクまたは導電塗料）のアレイにより形成される。図３には、係るアレイの例を誘電体基板２０２のより詳細な図で示す。図２のセンサ配線がピエゾ抵抗基板２０４の側へ下向きになっている点で、図３の誘電体２０２の向きが図２に示すものとは逆であることに留意されたい。
【００４３】
ピエゾ抵抗基板２０４（例えば、ピエゾ抵抗生地）は、誘電体基板２０２上の導電配線、すなわち、基板２０２の、基板２０４を向いた側にある、絶縁体により覆われていない配線のうち少なくとも幾つかと接している。これらの基板は、アレイを保護し、かつ、衝撃エネルギーを誘電体基板２０２およびピエゾ抵抗基板２０４に伝達するシリコーンゴム２０６および２０８の層の間に固定される。
【００４４】
センサ配線がピエゾ抵抗生地に形成されるような実装では、下にあるゴムの層によりピエゾ抵抗生地の膨張が可能となり、生地の、衝撃の影響を受ける面積が増大し得る。下にある生地センサアレイのより広い面積が影響を受けるように、衝撃イベント（例えば、ドラムスティックの打撃）の力を拡散するための拡散層（例えば、ＰＥＴ０．５ｍｍ）が含まれてもよい。これらの特徴のどちらか一方または両方により、センサ配線の間隔を広げることが可能となり、ひいては、検出および処理すべきセンサ信号を減らすことが可能となり得る。
【００４５】
センサアレイは、誘電体基板２０２のノッチ２１２でセンサアレイと電気的に接合されるプリント回路基板（ＰＣＢ）２１０に位置するアナログ回路およびプロセッサにより給電され、情報の問い合わせが行われる。ここでも、導電配線が代わりにピエゾ抵抗基板に直接形成されるか、さもなければ、それと一体化されるような実装が想定されることに留意すべきである。係る実装では、ＰＣＢ２１０が同様のやり方でピエゾ抵抗基板のセンサアレイと電気的に接合されてよい。係る実装の１つでは、図３に示すアレイとほぼ同様のやり方で導電配線が構成される。
【００４６】
デバイス１００の構造は、留め具２１８を用いて上部カバー２１４を底部カバー２１６に固定することにより完成する。接着剤、例えば、ＰＳＡ２２２を用いて、底部カバー２１６にゴム足２２０が固定される。
【００４７】
図４Ａおよび図４Ｂは、本明細書に記載の実装と共に使用するための、例えば、ＰＣＢ２１０または別の接続されたアセンブリに設けられ得るセンサ回路の簡略図である。例えば、図１から図３に示す実装では、係るセンサ回路が、（センサアレイ４０１で表すような）誘電体基板２０２上の導電配線に接続され得る。センサのうち１つに圧力が加えられると、結果として得られた（例えば、対応する配線を介して取得された）信号が（リファレンスアンプ４０２を介して）受信され、（マルチプレクサ４０３を介して）多重化され、（Ａ／Ｄ変換器４０４を介して）デジタル化される。この信号は、（例えば、プロセッサ４０６により）ローカルに処理されてよく、および／または、有線接続（例えば、ＵＳＢコネクタ４１１）または無線接続（例えば、Ｂｌｕｅｔｏｏｔｈ（登録商標）送受信機（図示せず）など）を介して、接続されるシステムまたはデバイス（例えば、パーソナルコンピュータ４０９）に伝送されてよい。センサアレイ４０１のセンサは（例えば、プロセッサ４０６のＧＰＩＯ（汎用入出力）ピンの制御下で）センサ回路により選択的に給電されてよい。プロセッサ４０６は、有線または無線インタフェースを介してリモートシステムと通信してよい。電力は、１つまたは複数のバッテリをはじめとする様々な機構のいずれを用いてセンサ回路に供給されてもよい。当然のことながら、図４Ａに示すセンサ回路は単なる例に過ぎない。示されているものよりもはるかに広い範囲のセンサ回路コンポーネント、構成および機能が想定される。ある特定の実装によれば、プロセッサ４０６は（テキサス州オースティンのＳｉｌｉｃｏｎ  Ｌａｂｓにより提供される）Ｃ８０５１Ｆ３８０−ＧＭコントローラに含まれてよい。（プロセッサ４０６に含まれてもよいし、含まれなくてもよい）メモリ４０７は、多様な種類の揮発性および不揮発性ストレージ媒体のいずれであってもよい非一時的コンピュータ可読ストレージ媒体を含み、コンピュータ可読命令、データ構造、プログラムモジュール、ロジック、ファームウェア、および／または、本明細書に記載の機能を実装またはサポートする他のデータを含んでよい。
【００４８】
示されている実装では、プロセッサ４０６からのＰＷＭ信号が、ＰＷＭ信号のデューティサイクルを変えることにより、０ＶとＶｄｄ（コントローラの供給電圧）との間の電圧Ｖｒｅｆを生成するために使用される。ローパスフィルタがＰＷＭ信号の高いキャリア周波数および調波を遮断し、デューティサイクルに比例するほぼ一定の電圧Ｖｒｅｆがもたらされる。
【００４９】
ＶｒｅｆはＡＤＣ４０４にも供給されて、（例えば、ミリボルト／カウント単位で）より高い解像度のセンサ出力信号読み出しが可能となる。ＡＤＣカウントは、正のＶｒｅｆから負のＶｒｅｆを引いてＡＤＣレンジで除したものに（ｍＶ単位で）等しい。図４Ａの例において、正のＶｒｅｆはフィルタリングされたＰＷＭ信号であり、負のＶｒｅｆはグラウンドであり、ＡＤＣレンジは１０２４カウント（１０ビット解像度）である。Ｖｒｅｆ＝Ｖｄｄ＝３．３Ｖの場合は（３．３Ｖ−０Ｖ）／１０２４カウント＝３．２２ｍＶ／カウントとなり、これに対して、Ｖｒｅｆ＝Ｖｄｄ／２＝１．６５Ｖの場合は（１．６５Ｖ−０Ｖ）／１０２４カウント＝１．６１ｍＶ／カウントとなる。反転増幅器の構成上、増幅器の出力は、Ｖｒｅｆを決して上回らず、それを下回るのみである。これにより、Ｖｒｅｆからグラウンドまでの電圧範囲を、ＡＤＣへの入力がＶｒｅｆを上回ることなく、ＡＤＣの動作範囲を超えて拡大することが可能となる。このように、ＡＤＣ入力範囲を制限して増幅器の出力範囲に合わせることにより、ｍＶ／カウント単位のＡＤＣステップサイズが減少し得る。
【００５０】
パーカッションデバイスのセンサアレイの動作については、図４Ｂの簡略回路図を参照して理解され得る。ここでは（Ｖｉｎ−Ｖｒｅｆ）に等しいプログラム可能電圧が（例えば、プロセッサ４０６により）ピエゾ抵抗生地センサｆ全体に加えられる。生地センサを流れる電流は（例えば、ＡＤＣ４０４により）デジタル値に変換され、プロセッサにより取得される。ある特定の実装によれば、プロセッサは４つの異なる導電配線を交互に駆動し、６つの異なるアナログチャネルをサンプリングし、それにより、２４のセンサ領域またはセンサ位置をアドレス指定する。打楽器奏者の入力に関する情報を取得し、それをＵＳＢ出力を通して標準ＭＩＤＩへ変換するために、これらのセンサ位置はそれぞれ、１秒あたり１０００回以上にわたってサンプリングされる。
【００５１】
当然のことながら、本開示により可能となるアレイ状センサの応答は互いに相対的な変動を示してよい。幾つかの実装によれば、較正されたセンサデータが（例えば、プロセッサ４０６のメモリ４０７に）記憶されてよく、このセンサデータはセンサの各々の応答を表す。係るデータは、センサ出力が処理される方法で一貫性を確保するために使用されてよく、および／または加えられる力を表すために使用されてよい。較正中、（例えば、ＡＤＣ４０４により取得されるような）各センサの出力は、入力された既知の力の範囲に関して測定される。このようにして、センサ毎に１セットのデータ点が（例えば、メモリ４０７のテーブルにおいて）取得され、ＡＤＣ値と対応する力（例えば、グラムまたはキログラム単位の重量）とを関連付ける。センサ毎のデータセットは、可能性のある全てのＡＤＣ出力値について力値（またはオフセット値）を取得してよい。代替的に、より少ないデータ点が取得されてもよく、センサ回路は、データセットで表されないＡＤＣ出力に関する力値を導出するために、補間法を使用してもよい。
【００５２】
幾つかの実装によれば、浮遊磁場が性能に影響を及ぼすのを防ぐために、電磁波干渉（ＥＭＩ）からの遮蔽が行われる。係る浮遊磁場は、例えば、送電網６０サイクルハム、近隣無線デバイス、ユーザの手とプリント配線との静電容量結合などに起因することもある。ＥＭＩ遮蔽は多数の方法で提供され得る。例えばセンサ配線がピエゾ抵抗生地に形成されるような実装では、ピエゾ抵抗生地よりも上および／または下にあるＰＥＴシートに導電塗料（例えば、ニッケル塗料）が提供され得る。遮蔽は、上述の拡散層（例えば、生地から見て拡散体の他方の側の導電塗料）と併用されてよい。
【００５３】
センサ配線が誘電体基板に形成されるある特定の実装によれば、センサ配線から見て誘電体基板の反対側に導電メッシュが提供される。図５の例に示すように、網目状の導電メッシュ５０２がスクリーンプリントされるか、さもなければ、誘電体基板２０２の上面に設置されてよい。網目状のメッシュは、例えば、導電ビア（図示せず）を用いて、ＰＣＢ２１０上の接地パッド、および／または、誘電体基板２０２の他方の側にある接地パッドと電気的に接続されてよい。
【００５４】
パーカッションデバイスの各四分円は、プロセッサにより駆動されている４つのラインのうち１つに相当する。各四分円の導電配線の構成については、図６を参照して理解され得る。分かりやすくするために、図６では誘電体基板２０２の配線のうちほんの幾つかを示しているに過ぎない。左上の四分円における実線の配線は全て（半径方向の配線６０２により）互いに電気的に接続され、プロセッサからの駆動信号により四分円を給電するための配線である。円形配線（破線）の各々は、各四分円のセンサをサンプリングするための、６つの独立したチャネルのうち１つを表す。すなわち、四分円におけるヒットイベントは、ＰＣＢ上のプロセッサ（図示せず）に対するそれぞれのセンサ出力として伝送される、これらのセンス配線上の信号に表される。各円形センス配線の、ある特定の四分円と一致する部分は、その四分円において隣接する駆動配線と共にセンサを形成する。ある特定の実装によれば、四分円の係る各センサに関連付けられる位置は、センス配線の対応する部分の、アレイの中心に対して半径方向の距離である。これらの駆動配線を表す破線が連続した導体であり、破線で表したものが単に例示目的に過ぎないことに留意されたい。
【００５５】
図３および図６に示すように、円形センス配線が４つの四分円全てを通じて連続している一方で、各四分円の湾曲した駆動配線は、他の四分円の駆動配線と不連続であり、四分円の縁部で終端する。これは、拡大図で示すように、センス配線（例えば、センス配線６０６）が四分円の各々における半径方向の配線と交差するのを可能とする、半径方向の配線６０２の表面に絶縁体６０４を使用することにより可能となる。絶縁体６０４は、半径方向の配線６０２をピエゾ抵抗基板からも絶縁する。同様の絶縁体が他の半径方向の駆動配線（図示せず）、および、センサ出力を受信するための半径方向のセンス配線と併せて使用される。
【００５６】
プロセッサは、駆動配線を順次駆動し、センス配線を順次サンプリングすることで、ヒットイベントのデータセットを生成する。このデータセットの生成は繰り返し行われる。示されている実装において、ヒットイベントのデータセットは、駆動配線とセンス配線との２４個の組み合わせ各々に関する値を含む。当然のことながら、異なる実装では、データセットを生成するために使用されるシーケンスが変化してよい。例えば、シーケンスはセンス配線または駆動配線により編成され得る。これも当然のことながら、デバイスの中心または縁部からの半径方向の距離について言うと、順次駆動および順次サンプリングすることにより、四分円におけるヒットイベントの位置を検出することが可能となる。
【００５７】
ある特定の部類の実装によれば、ＡＤＣ読み出しを（例えば、メモリ４０７に）記憶された、対応するセンサのオフセット値と比べることによりヒット検出が行われる。上述のように、このオフセットは、ピエゾ抵抗材料における抵抗の変化によりセンサ毎に異なる。オフセットの大きさには、無限インパルス応答（ＩＩＲ）フィルタを用いて達する。新たな読み出しが、フィードフォワード係数を乗じた現在のオフセットに加えられ、次にこの合計が、フィードフォワード係数に１を足したものと等しい、フィードバック係数で除される。この計算については以下に示す。
【数１】
0006763113.tif 000002
ここで、ｏｆｆｓｅｔ１は予め計算されたオフセットであり、ｒａｗ２は最新のＡＤＣ読み出しであり、ａはフィードバック係数であり、ｂはフィードフォワード係数であり、ｏｆｆｓｅｔ２は結果として得られる新たに計算されたオフセットである。例えば、環境効果によるノイズまたは材料の抵抗の変化を算定するために、センサ毎のオフセットが繰り返し再計算され、（例えば、メモリ４０７に）記憶される。ヒットが記録されない場合は、再計算されたこのオフセットが保存される。
【００５８】
ある特定の実装によれば、ヒット検出にはヒステリシス方式が実装される。なぜなら、単に高いＡＤＣ読み出しを報告するだけでは、個々のノイズスパイクに起因する誤動作をもたらすことがあるからである。この方式では２つの閾値を採用する。そのうち１つは振幅の閾値、１つは継続時間の閾値である。振幅閾値は、オフセット値とその閾値とを足したものに等しいか、またはそれよりも大きい、センサのＡＤＣ読み出しを必要とする。ＡＤＣ読み出しの大きさが十分に大きい場合は、ピークが構成され、隣接ピークの数を記録するカウンタがインクリメントされる。継続時間の閾値は、その閾値に等しいか、またはそれよりも多い隣接ピークの数を必要とする。続けて出現するピークの数が十分に多い場合は、このイベントの報告に備えて、ヒットが登録され、プロセッサが内部フラグをセットする。ヒット検出方式に関するある特定の実装の動作については、図７のサンプル波形と（ある特定の四分円に関する「ヒット検出」アルゴリズムを表す）図８のフローチャートとを参照して理解され得る。
【００５９】
全てのセンサが起動時に「アイドル」状態（８０２）へ初期化される。センサのＡＤＣ読み出し７０２がオンの振幅閾値７０４を上回ってピークに達する（８０４）と、例えば、ピーク状態７０６で表すように、そのセンサのカウンタがインクリメントされる（８０６）。オンの振幅閾値を上回るこの連続的なサンプルのカウントがオンの長さ閾値を満たす（８０８）場合は、例えば、ピーク７１０と同様に、センサの状態７０８が状態マシンの「ヒット」状態（８１０）、例えば、７１２へと進む。このセンサは、後で「ヒットプロセス」機能に使用できるよう、ブール値のフラグを用いてヒットとマークされる。サンプルカウントがオンの長さ閾値を満たさない場合は、例えば、ピーク７１４と同様に、センサの状態が「アイドル」のままである。
【００６０】
「ヒット」状態（８１２）にあるセンサが、例えば、７１６において、オフの振幅閾値を下回る（８１４）場合は、別のカウンタがインクリメントする（８１６）。オフの振幅閾値を下回るこの連続的なサンプルのカウントがオフの長さ閾値を満たす（８１８）場合は、センサが状態マシンの「アイドル」状態（８２０）に戻る。このイベントでセンサヒットフラグはクリアされる。
【００６１】
半径補間のための四分円の重心の計算は「ヒット検出」機能において行われる。センサがヒットされている（８３０）場合は、その振幅が（四分円のアクティブなセンサの中で最も大きければ）保持され（８３２）、その圧力を乗じたその半径がアキュムレータに加算され（８３４）、アキュムレータは、四分円内のアクティブなセンサ全てについてこれらの積を含有する。全ての項が累積された後、積の合計が圧力の合計で除されて補間された半径を返し（８３６）、四分円がヒットを登録したものとしてマークされる（８３８）。四分円における最大圧力（すなわち、最大振幅）は、四分円の圧力として記憶される（８４０）。
【００６２】
ある特定の実装によれば、ヒットの補間された位置は、ヒットが報告される、対象の四分円における全てのヒットセンサの速度から計算される。３つのセンサ（ａ、ｂおよびｃ）が四分円におけるヒットを登録するような例では、以下の加重平均方程式を用いてヒットの補間された位置が計算されてよい。
【数２】
0006763113.tif 000003
ここで、ｒａｄｉｕｓは、センサとセンサアレイの中心との間の距離（すなわち、アレイの中心から、ヒットが関連している特定の円形センス線までの半径方向の距離）を指し、ｖｅｌｏｃｉｔｙは、オフセットを上回る、ヒットのＡＤＣ読み出しの大きさを指し、ａ、ｂおよびｃは、位置の計算に使用されるヒットが報告されたセンサを指し、ｘは補間された位置を指す。幾つかの実装によれば、衝撃速度は、速度の中で最大のものと考えられる。他の実装によれば、衝撃速度は、単に速度の平均により計算されてよい。
【００６３】
図９の（ある特定の四分円に関する「ヒットプロセス」アルゴリズムを表す）フローチャートは、「ヒット検出」機能において計算される四分円の圧力値および半径値を用いたＭＩＤＩメッセージを介するモドライン（ｍｏｄｌｉｎｅ）出力を示す。「モドライン」は、センサ出力を所望の動作に変換する、（例えば、デバイス構成ユーザインタフェースにおいて）ユーザにより指定される１セットのパラメータである。例えば、モドラインが入力を選択し、その入力に対して利得（例えば、乗算）およびオフセット（例えば、加算または減算）のような変換を加え、その変換された値を指定されたメッセージ形式（例えば、「ＭＩＤＩノートオン」または「ＭＩＤＩピッチベンド」）で出力してよい。モドラインは、最小および最大の範囲制限を課すだけでなく、応答の形状を変える変換（例えば、線形、対数、指数）を加えてもよい。例えば、ユーザは、マイナス５０％のオフセットを指定することにより、センサの範囲がわずか５０％となって初めて、センサへの圧力が登録され始めるように指定することができる。次に２ｘの利得係数を指定することにより、センサの有効範囲は、例えば、より望ましいジェスチャ応答へとシフトする。
【００６４】
ここで図９を参照すると、全ての四分円が「アイドル」状態（９０２）に初期化されている。四分円がフラグによりヒットと指定される（９０４）場合は、現在の圧力値および半径値をそれぞれ初期圧力値および初期半径値に保持した（９０６）まま、「ヒット＿スタート」状態（９０８）へと進む。四分円がヒットされていない場合は、「アイドル」状態のままである。
【００６５】
「ヒット＿スタート」状態（９１０）において、四分円が依然としてヒットされており（９１１）、現在の圧力値が以前の初期圧力値よりも大きい（９１２）場合は、新たな圧力値および半径値が初期値として保持される（９１４）。現在の圧力が以前の初期値よりも小さいか、またはこれに等しい場合は、四分円が初期圧力値および半径値を用いて全てのアクティブなモドラインを送出し（９１８）、「ヒット＿ストリーム」状態（９１６）へと進む。
【００６６】
「ヒット＿ストリーム」状態（９２０）において、四分円が依然としてヒットされている（９２２）場合は、連続出力にセットされた全てのモドラインが現在の圧力値および半径値を用いて送出される（９２４）。
【００６７】
四分円が「ヒット＿スタート」状態または「ヒット＿ストリーム」状態にあるときにもはやヒットされていない場合は、「アイドル」状態に戻る。ＭＩＤＩメッセージを介するモドライン出力が行われる「ヒット＿ストリーム」状態から戻る場合は、予めオンにしておいた任意のノートのためにノートオフメッセージが送信される（９２６）。
【００６８】
当業者であれば、本明細書に記載の実装の形態および詳細の変更が、本開示の範囲から逸脱することなく行われ得ることを理解するであろう。更には、様々な実装を参照して様々な利点、態様および目的について説明してきたが、本開示の範囲は、係る利点、態様および目的を参照することにより限定されるべきではない。本開示の範囲はむしろ、添付の特許請求の範囲を参照して決定されるべきである。
【図１】
0006763113.tif 000004
【図２】
0006763113.tif 000005
【図３】
0006763113.tif 000006
【図４Ａ】
0006763113.tif 000007
【図４Ｂ】
0006763113.tif 000008
【図５】
0006763113.tif 000009
【図６】
0006763113.tif 000010
【図７】
0006763113.tif 000011
【図８】
0006763113.tif 000012
【図９】
0006763113.tif 000013